(57)【特許請求の範囲】
【請求項１】
基材、
前記基材の裏面に部分的に形成され、酸化チタンを含有するインキで印刷して形成される白色の印刷部、および
前記基材の裏面に前記印刷部を覆うように全体に形成され、酸化チタンを含有する白色の粘着剤層を含む、ラベル。
【発明の詳細な説明】
【０００１】
【発明の属する技術分野】
本発明はラベルに関し、特にたとえば、商品に貼着されて、商品の属性を表すとともに、ブラックライト蛍光ランプによってブラックライトを照射することによりラベルの真偽ひいては商品の真偽を見分けることのできるラベルに関する。
【０００２】
【従来の技術】
従来、商品に貼付けられたラベルを紫外線照射することにより、真正なラベルであるか否かひいてはラベルが貼付けられた商品が真正であるか否かを識別することができるラベルが提案されている。
たとえば、特許第２５９８０２２号の偽造防止用ラベルもその一例である。
この偽造防止用ラベルでは、紫外線透過性を有する自己支持性フィルム基材と、該基材の少なくとも片面に紫外線吸収性透明インキで印刷された文字等の印刷部と、前記基材のラベル貼付対象物側に順を追って接合された、前記対象物に適用した時に少なくともその対象物の表面に移行してこれを染着可能な移行性蛍光染料を含有する粘着剤層および剥離シートとを有するものであるが、蛍光染料では、染料の耐久性に疑問があり、時には、紫外線照射装置により、瞬時に発光し、隠し文字パターンが浮き上がるという効果を奏することができない場合がある。
特に、この特許第２５９８０２２号の発明の詳細な説明においても説明されているように、自動車部品の偽造防止用ラベルに使用する場合には、高レベルの耐候性等が要求されてくる。
【０００３】
【発明が解決しようとする課題】
そこで、より耐候性に優れ、外見上は全く通常のラベルと見分けがつかないため、そのラベルを偽造するものが、真正なラベルを容易には製作できず、仮に外見上同一の偽造ラベルが貼られた偽造商品が出回ったとしても、ブラックライト蛍光ランプによってブラックライトを照射をすることにより、瞬時に偽造された商品に貼られたラベルと真正な商品に貼られたラベルとを見分けることができ、且つその効果を長く持続させることができるラベルの開発が待ち望まれている。
【０００４】
【課題を解決するための手段】
上記目的を達成するため、請求項１のラベルは、基材、前記基材の裏面に部分的に形成され、酸化チタンを含有するインキで印刷して形成される白色の印刷部、および前記基材の裏面に前記印刷部を覆うように全体に形成され、酸化チタンを含有する白色の粘着剤層を含む、ラベルである。
【０００５】
請求項１の発明のラベルは、蛍光染料を含ませて蛍光を発するようにしたものではなく、ブラックライト蛍光ランプによってブラックライトが照射されたとき、印刷部が形成されている部位が暗い青色に、印刷部が形成されてない部位が淡い青色になって現れるラベルである。
そして、自然光や蛍光灯による紫外線では、印刷部が形成されている部位の色と、印刷部が形成されてない部位の色とが同一色を呈するため肉眼では全く境界がわからず、基材表面から肉眼で凝視しても酸化チタンを含有するインキで印刷して形成される白色の印刷部の存在すらわからない。
【０００６】
この発明の上述の目的、その他の目的、特徴および利点は、図面を参照して行う以下の実施例の詳細な説明から一層明らかとなろう。
【０００７】
【発明の実施の形態】
図１は、本願発明に係るラベルの平面図であり、図２は、図１Ａ−Ａ断面図であり、図３は、ブラックライト蛍光ランプによってブラックライトを照射したときの図１図示例のラベルをあらわす図解図である。
【０００８】
このラベル１０は、基材１２を含み、基材１２の裏面には部分的に、酸化チタンを含有するインキで適宜な模様が印刷して形成される白色の印刷部１４が形成され、さらに、前記基材１２の裏面側には、前記白色の印刷部１４を覆うように基材１２の全面にわたって酸化チタンを含有する粘着剤層１６が形成されている。そして、このラベル１０は、その表面にシリコン等が塗布された剥離シート１８の表面に粘着剤層１６の粘着力をもって適宜な間隔をおいて複数枚連続して仮着されている。
【０００９】
基材１２は、白色の印刷部１４および粘着剤層１６を支持するものであり、またラベル１０にブラックライト蛍光ランプによってブラックライトを照射したとき白色の印刷部１４の存在が肉眼でも見えるようなもの、たとえば紙、合成紙および合成樹脂製シートからなる。特に、基材１２として、白色の印刷部１４がその裏面に形成されるので、ブラックライト蛍光ランプによってブラックライトを照射しないとき、すなわち自然光下や蛍光灯下において肉眼でその白色の印刷部１４が透視できないような素材、たとえば上質紙、コート紙、アート紙等の不透明なもの等が適する。
【００１０】
白色の印刷部１４は、前記基材１２と殆ど同色のインキで適宜なパターンを印刷して形成され、通常のインクバインダ、たとえばアクリル共重合樹脂、ウレタン樹脂などに酸化チタンを含有した白色のインキをもって形成されている。粘着剤層１６は、酸化チタンが含有された白色の粘着剤が基材１２の裏面全面にわたって塗布されてなる。
【００１１】
そして、この実施例においては、白色の印刷部１４も粘着剤層１６もいずれも白色を呈し、基材１２と殆ど同色のため、基材１２の表面から肉眼でこのラベル１０を透視しても白色の印刷部１４の存在は肉眼では見分けることができない。なお、基材１２の表面、特に白色の印刷部１４が形成されていない部分には、適宜な印刷、たとえば商品名、企業名等を通常のインキで印刷されてなる印刷層２０が形成されている。
【００１２】
図４は別例のラベルを示す断面図である。このラベル３０は、前記した例と同様に、基材３２、前記基材３２の裏面に部分的に白色の印刷部３４が形成され、さらに裏面側には酸化チタンを含有する粘着剤層３６が形成されている。また、粘着剤層３６の表面には剥離シート３８が仮着され、基材３２の表面には印刷層４０が形成されている。そして、この図４図示例では、基材３２の裏面において、白色の印刷部３４を覆うようにバリア層４２が形成され、バリア層４２の裏面の全面にわたって粘着剤層３６が形成されている。バリア層４２は、たとえばアクリル共重合樹脂または水溶性ポリビニルアルコールを塗布して透明な層が形成され、白色の印刷部３４の形成された部分と形成されていない部分との間における基材３２への粘着剤層３６を構成する粘着剤の吸水率の差をなくし、平均した吸水率として白色の印刷部３４の部分が吸水性が余りなくそのためにその部分が浮き出たりして見えるというおそれをなくすもので、白色の印刷部３４の存在がより一層外見上わからないようにするために形成されている。
【００１３】
（実施例１）
白色の印刷部１４を形成する酸化チタンを含有するインキを下記組成の物質を混合して生成する。
・インキバインダ（アクリル共重合樹脂など）  ７５重量％
・酸化チタン  ２５重量％
別途、粘着剤層１６を形成する酸化チタンを含有する粘着剤を生成すべく下記の物質を混合し、生成する。
・アクリル系粘着剤  １００重量部
・酸化チタン  ５重量部
そして、白色の上質紙たる基材１２の表面に、１０〜３０ｇ／ｍ２の割合で、一般のグラビアまたはリバースコータ等の印刷、塗布装置によって、適宜な模様を基材１２の裏面に前記インキで印刷する。
【００１４】
一方、剥離シート１８の剥離剤塗布面側に前記粘着剤を塗工し、剥離シート１８に粘着剤層１６を担持させ、前記基材１２の裏面側、すなわち白色の印刷部１４が形成された面と重ね合わせ、ラベル１０を得る。実際の使用時には、剥離シート１８からラベル１０が剥がされるが、そのときには、粘着剤層１６は剥離シート１８から基材１２側に転移し、基材１２を粘着剤層１６の接着力で製品に貼付けることができる。
【００１５】
このようにして得られたラベル１０に、ピーク波長３５２ｎｍのブラックライト蛍光ランプ（株式会社東芝製の紫外線照射装置ＦＬ４０ＳＢＬＢ〈４０ｗ〉）１００でブラックライトを照射したところ、白色の印刷部１４が暗いブルーの色に見え、白色の印刷部１４が形成されていない部分は淡い青に見え、白色の印刷部のパターンが人間の目でも見分けることができた。
【００１６】
【発明の効果】
この発明のラベルによれば、ブラックライト蛍光ランプによってブラックライトが照射されたとき、印刷部が形成されている部位が暗い青色に、印刷部が形成されてない部位が淡い青色になって現れる。
そして、自然光や蛍光灯による紫外線では、印刷部が形成されている部位の色と、印刷部が形成されてない部位の色とが同一色を呈するため肉眼では全く境界がわからず、基材表面から肉眼で凝視しても印刷部の存在すらわからない。
そのために、ラベルを偽造しようとしても容易に同一構造のラベルを製作できない。
また、このラベルは、染料の耐久性に疑問がある蛍光染料を含ませるようにしたものでないため、その効果を長く持続させることができる。
【図面の簡単な説明】
【図１】  本願発明に係るラベルの平面図である。
【図２】  図１図示例のＡ−Ａ断面図である。
【図３】  ブラックライト蛍光ランプによってブラックライトを照射したときの図１図示例のラベルをあらわす図解図である。
【図４】  別例のラベルを示す断面図である。
【符号の説明】
１０、３０  ラベル
１２、３２  基材
１４、３４  白色の印刷部
１６、３６  粘着剤層
１８、３８  剥離シート
２０、４０  印刷層
４２  バリア層
【図１】
0003886216.tif 000002
【図２】
0003886216.tif 000003
【図３】
0003886216.tif 000004
【図４】
0003886216.tif 000005